(57)【要約】  【課題】アップライトピアノのケースにおいて、外部への音の伝搬を良好ならしめるにあたり、アップライトピアノとしての美観を損ないにくくする。  【解決手段】ケース５０の上前板５５，下前板５７に形成された貫通孔６５，６７それぞれを塞ぐように伝搬部７５，７７が配置されており、これによりアップライトピアノ１の内部構造が見えてしまうことを防止できるため、アップライトピアノとしての美観が損なわれにくい。そして、貫通孔６５，６７を塞ぐ伝搬部７５，７７は、響板４０より発せられる音の振動を伝搬するのに適した部材からなるため、単に貫通孔６５，６７を隠すためだけのネットを積層する場合と比べて、外部への音の伝搬が妨げられにくい。【選択図】図２
2008216302.tif 000002
【特許請求の範囲】
【請求項１】
アップライトピアノの響板を取り囲むように配置される外装部品と、
該外装部品の少なくとも一部分を貫通するように形成された貫通孔と、
該貫通孔を塞ぐように配置されており、前記響板より発せられる音の振動を伝搬するのに適した部材からなる伝搬部と、を備えている
ことを特徴とするアップライトピアノのケース。
【請求項２】
前記貫通孔は、アップライトピアノの演奏者側となる領域の少なくとも一部分を貫通するように形成されている
ことを特徴とする請求項１に記載のアップライトピアノのケース。
【請求項３】
前記伝搬部は、動物の皮，樹脂材料からなる振動膜，スピーカ用の振動部材および竹材のうち、いずれかの部材または複数の部材により形成されている
ことを特徴とする請求項１または請求項２に記載のアップライトピアノのケース。
【請求項４】
前記伝搬部は、一定方向に延びる板状の部材を格子状に組み合わせることにより形成されている
ことを特徴とする請求項１から３のいずれかに記載のアップライトピアノのケース。
【請求項５】
請求項１から４のいずれかに記載のアップライトピアノのケースが響板を取り囲むように配置されている
ことを特徴とするアップライトピアノ。
【発明の詳細な説明】
【技術分野】
【０００１】
本発明は、アップライトピアノのケースに関する。
【背景技術】
【０００２】
従来、アップライトピアノは、響板を外装部品で取り囲む構成となっているため、この響板により発せられた音がその内部空間にこもりがちになり、こまかいニュアンスや音色の変化などを耳で確かめながら演奏するのに向いていないという問題があった。
【０００３】
このような課題を解決するために、本願出願人は、上前板，下前板，屋根など外装部品の前面に複数の貫通孔を分布させ、これら貫通孔から外部に音を伝搬させるように構成したアップライトピアノのケースを提案している（特許文献１参照）。
【特許文献１】特開平９−１４６５３２号公報
【発明の開示】
【発明が解決しようとする課題】
【０００４】
しかし、上述したアップライトピアノのケースにおいては、単に外装部品に貫通孔を形成しただけの構成であることから、次のような課題を有するものとなっていた。
それは、外部への音の伝搬を良好ならしめるべく、貫通孔の数を増やしたり、その面積を大きくすると、内部構造が見えるようになってしまい、アップライトピアノ全体としての美観を損ないやすいという課題である。そして、特許文献１には、それを補うために貫通孔を隠すネットを積層することが提案されているが、そのようなネットの積層により貫通孔が塞がれるため、外部への音の伝搬が妨げられてしまう恐れがある。
【０００５】
本発明は、このような課題を解決するためになされたものであり、その目的は、アップライトピアノのケースにおいて、外部への音の伝搬を良好ならしめるにあたり、アップライトピアノとしての美観を損ないにくくするための技術を提供することである。
【課題を解決するための手段】
【０００６】
上記課題を解決するため請求項１に記載のアップライトピアノのケースは、アップライトピアノの響板を取り囲むように配置される外装部品と、該外装部品の少なくとも一部分を貫通するように形成された貫通孔と、該貫通孔を塞ぐように配置されており、前記響板より発せられる音の振動を伝搬するのに適した部材からなる伝搬部と、を備えている。
【０００７】
このように構成されたアップライトピアノのケースによれば、外装部品に形成された貫通孔を塞ぐように伝搬部が配置されており、これにより内部構造が見えてしまうことを防止できるため、アップライトピアノとしての美観が損なわれにくい。
【０００８】
そして、貫通孔を塞ぐ伝搬部は、響板より発せられる音の振動を伝搬するのに適した部材からなるため、単に貫通孔を隠すためだけのネットを積層する場合と比べて、外部への音の伝搬が妨げられにくい。
【０００９】
なお、この構成における貫通孔は、少なくとも外装部品の一部分を貫通するように形成すればよく、その数，大きさ，形状等については特に限定されない。
また、この貫通孔は、外装部品の一部分に形成されていれば、その具体的な位置は特に限定されないが、こまかいニュアンスや音色の変化などを耳で確かめながら演奏するためには、演奏者側に形成されていることが望ましい。
【００１０】
このためには、例えば、請求項２に記載のアップライトピアノのケースのように構成すればよい。このアップライトピアノのケースにおいて、前記貫通孔は、アップライトピアノの演奏者側となる領域の少なくとも一部分を貫通するように形成されている。
【００１１】
このように構成すれば、響板から発せられた音が、伝搬部を介して演奏者側に伝搬されやすくなるため、こまかいニュアンスや音色の変化などを耳で確かめながら演奏するのに適したものとなる。
【００１２】
なお、この構成における「演奏者側となる領域」とは、例えば、外装部品における上前板や下前板における一部分のことである。
また、上述した伝搬部は、響板より発せられる音の振動を伝搬するのに適した部材からなるものであればよく、その具体的な部材については特に限定されない。
【００１３】
例えば、請求項３に記載のように、前記伝搬部は、動物の皮，樹脂材料からなる振動膜，スピーカ用の振動部材および竹材のうち、いずれかの部材または複数の部材により形成されているとよい。
【００１４】
これら部材は、ピアノ以外の楽器や音響機器において音を伝搬，放射するためにも使用される部材であるため、このような部材により伝搬部を形成することにより、響板から発せられる音を適切に外部へ伝搬するようなケースとすることができる。
【００１５】
また、これら部材により形成された伝搬部であれば、部材の形状，大きさ，厚さ，張り具合などを調整することで、外部へ伝搬されやすい周波数の音や伝搬されにくい周波数の音を微調整することができるようになる。
【００１６】
また、上述した伝搬部としては、例えば、請求項４に記載のように、一定方向に延びる板状の部材を格子状に組み合わせることにより形成されていてもよい。
このように構成すれば、伝搬部を構成する部材自体による音の伝搬だけでなく、この部材を組み合わせた際の隙間から音を流通させることができるため、より音の伝搬を良好なものとすることができる。
【００１７】
また、この構成における板状の部材として、例えば、樹脂材料や竹材のようにある程度の剛性を有する部材を用いれば、こうして形成された伝搬部が外装部品における貫通孔の形状を維持するように作用する結果、貫通孔にネットを積層する場合と比べて、外装部品としての強度を維持しやすくなる。
【００１８】
さらに、このように外装部品としての強度を維持しやすくなれば、貫通孔として大きなものを形成することができるようになり、このような大きな貫通孔によって、伝搬部を介した外部への音の伝搬をより良好なものとすることができる。
【００１９】
また、請求項５に記載のアップライトピアノは、請求項１から４のいずれかに記載のアップライトピアノのケースが響板を取り囲むように配置されていることを特徴とする。
このように構成されたアップライトピアノによれば、請求項１から４のいずれかに記載のアップライトピアノのケースにより得られるのと同様の作用，効果を得ることができる。
【発明を実施するための最良の形態】
【００２０】
以下に本発明の実施形態を図面と共に説明する。
アップライトピアノ１は、図１，図２に示すように、複数の鍵からなる鍵盤１０，鍵盤１０の操作を受けて動作するアクション機構２０，アクション機構２０により打鍵される弦３０，弦３０が張られた響板４０，アップライトピアノ１としての外装を形成するケース５０などで構成されている。
【００２１】
ケース５０は、ケース５０における側面を形成する一組の親板５１，前面（演奏者側の面）を形成する上前板５５および下前板５７，天井面を形成する屋根板５９などからなり、これらが、響板４０を取り囲む外装部品を構成している。
【００２２】
これらのうち、上前板５５，下前板５７は、それぞれケース５０の外側から内側へと貫通するように形成された複数の貫通孔６５，６７と、この貫通孔６５，６７を塞ぐように配置された伝搬部７５，７７と、を備えている。なお、本実施形態において、上前板５５には、四角形の貫通孔６５が、上前板５５の長手方向（図１，図３における左右方向）に沿って３つ形成されており、下前板５７には、四角形の貫通孔６７が、下前板５７の長手方向（同上）に沿って２つ形成されている。
【００２３】
この伝搬部７５，７７は、響板４０から発せられる音の振動を伝搬するのに適した部材からなるシート状の部材であり、これが、上前板５５，下前板５７の貫通孔６５，６７周辺においては、これら貫通孔６５，６７を塞ぐように取り付けられている。また、本実施形態において、この伝搬部７５，７７は、動物の皮，樹脂材料からなる振動膜，スピーカ用の振動部材および竹材のうち、いずれかの部材により形成されている。
【００２４】
なお、この伝搬部７５，７７については、図３に示すように、一定方向に延びる板状の部材（例えば、竹材，樹脂材料）を格子状に組み合わせることにより形成してもよい。
このように構成されたアップライトピアノ１では、ケース５０の上前板５５，下前板５７に形成された貫通孔６５，６７それぞれを塞ぐように伝搬部７５，７７が配置されており、これによりアップライトピアノ１の内部構造が見えてしまうことを防止できるため、アップライトピアノとしての美観が損なわれにくい。
【００２５】
そして、貫通孔６５，６７を塞ぐ伝搬部７５，７７は、響板４０より発せられる音の振動を伝搬するのに適した部材からなるため、単に貫通孔６５，６７を隠すためだけのネットを積層する場合と比べて、外部への音の伝搬が妨げられにくい。
【００２６】
また、上記実施形態においては、貫通孔６５，６７が、アップライトピアノ１における演奏者側に配置された上前板５５，下前板５７に形成されているため、響板４０から発せられた音が、伝搬部７５，７７を介して演奏者側に伝搬されやすくなるため、こまかいニュアンスや音色の変化などを耳で確かめながら演奏するのに適したものとなる。
【００２７】
また、上記実施形態では、伝搬部７５，７７を形成する部材として、動物の皮，樹脂材料からなる振動膜，スピーカ用の振動部材および竹材のうち、いずれかの部材が用いられている。
【００２８】
これら部材は、ピアノ以外の楽器や音響機器において音を伝搬，放射するためにも使用される部材であるため、このような部材により伝搬部７５，７７を形成することにより、響板４０から発せられる音を適切に外部へ伝搬するようなケースとすることができる。
【００２９】
また、これら部材により形成された伝搬部７５，７７であれば、部材の形状，大きさ，厚さ，張り具合などを調整することで、外部へ伝搬されやすい周波数の音や伝搬されにくい周波数の音を微調整することができるようになる。
【００３０】
また、伝搬部７５，７７として、図３のように、一定方向に延びる板状の部材を格子状に組み合わせることにより形成されたものを採用した場合であれば、伝搬部７５，７７を構成する部材自体による音の伝搬だけでなく、この部材を組み合わせた際の隙間から音を流通させることができるため、より音の伝搬を良好なものとすることができる。
【００３１】
また、この構成における板状の部材として、樹脂材料や竹材のようにある程度の剛性を有する部材を用いれば、こうして形成された伝搬部７５，７７が上前板５５，下前板５７における貫通孔６５，６７の形状を維持するように作用する結果、貫通孔６５，６７にネットを積層する場合と比べて、外装部品としての強度を維持しやすくなる。
【００３２】
さらに、このように外装部品としての強度を維持しやすくなれば、貫通孔６５，６７として大きなものを形成することができるようになり、このような大きな貫通孔６５，６７によって、伝搬部７５，７７を介した外部への音の伝搬をより良好なものとすることができる。
【００３３】
以上、本発明の実施の形態について説明したが、本発明は、上記実施形態に何ら限定されることはなく、本発明の技術的範囲に属する限り種々の形態をとり得ることはいうまでもない。
【００３４】
例えば、上記実施形態においては、四角形の貫通孔６５，６７が、上前板５５の長手方向に沿って３つ、下前板５７の長手方向に沿って２つ形成された構成となっているものを例示した。しかし、この貫通孔６５，６７の数，大きさ，形状については、本実施形態に限られない。
【００３５】
また、上記実施形態においては、貫通孔６５，６７が、アップライトピアノ１における演奏者側に配置された上前板５５，下前板５７に形成されているものを例示した。しかし、これら貫通孔は、上前板５５，下前板５７以外でケース５０を構成する他の部材に形成してもよい。
【００３６】
また、上記実施形態においては、伝搬部７５，７７が、動物の皮，樹脂材料からなる振動膜，スピーカ用の振動部材および竹材のうち、いずれかの部材により形成されているものを例示した。しかし、この伝搬部７５，７７は、これら部材のうち２以上を組み合わせることにより形成してもよい。
【図面の簡単な説明】
【００３７】
【図１】アップライトピアノの斜視図
【図２】アップライトピアノの縦断面図
【図３】別の実施形態におけるアップライトピアノの斜視図
【符号の説明】
【００３８】
１…アップライトピアノ、１０…鍵盤、２０…アクション機構、３０…弦、４０…響板、５０…ケース、５１…親板、５５…上前板、５７…下前板、５９…屋根板、６５…貫通孔、６７…貫通孔、７５…伝搬部、７７…伝搬部。
【図１】
2008216302.tif 000003
【図２】
2008216302.tif 000004
【図３】
2008216302.tif 000005